(57)【要約】【課題】カバー体を固定盤から取り外すことなくノズルの内部を容易に洗浄することが可能であるとともに蓋体が不意に開くことを防止することが可能なエアゾール容器用吐出具を提供する。【解決手段】ノズル３０と、固定盤１０と、カバー体２０と、を有するエアゾール容器用吐出具１であって、ノズル３０が、接続筒部３１と、吐出筒部３３と、ベース部３２と、ベース部３２の凹部空間３２ａを開閉可能な蓋体３５と、押下げ操作部３６と、回動連結部３４と、を有し、ノズル３０に、押下げ操作部３６に支持される支持部４１と、閉状態の蓋体３５に上方から係合して蓋体３５の開方向への回動を規制する係止部４２と、を備えた規制部材４０が装着されていることを特徴とするエアゾール容器用吐出具１。【選択図】図１
2020001799.tif 000002
【特許請求の範囲】
【請求項１】
エアゾール容器のステムに取り付けられるノズルと、
前記エアゾール容器のマウンティングカップに固定される固定盤と、
前記固定盤に取り付けられて前記ノズルの少なくとも一部を覆うカバー体と、を有するエアゾール容器用吐出具であって、
前記ノズルが、
前記ステムに接続される接続筒部と、
内容物の吐出口を前端に備えた吐出筒部と、
上方に開口する凹部空間を備えて前記接続筒部と前記吐出筒部との間に設けられたベース部と、
前記ベース部に対してヒンジを中心として回動することで前記凹部空間を開閉可能な蓋体と、
前記ベース部から後方に延びて設けられた押下げ操作部と、
前記ステムよりも前方に設けられ、前記カバー体に回動自在に連結される回動連結部と、を有し、
前記ノズルに、
前記押下げ操作部に支持される支持部と、
閉状態の前記蓋体に上方から係合して該蓋体の開方向への回動を規制する係止部と、を備えた規制部材が装着されていることを特徴とするエアゾール容器用吐出具。
【請求項２】
前記規制部材が、ストッパ部を備えるとともに、該ストッパ部が前記カバー体に係合して前記押下げ操作部の下方への移動が規制される規制位置と、前記ストッパ部の前記カバー体への係合が解除される解除位置との間で、前記押下げ操作部に沿って前記ベース部に接近・離反する方向に移動自在である、請求項１に記載のエアゾール容器用吐出具。
【請求項３】
前記規制部材が前記解除位置にあるときには前記係止部が閉状態の前記蓋体に上方から係合し、
前記規制部材が前記規制位置にあるときには前記係止部の前記蓋体への係合が解除される、請求項２に記載のエアゾール容器用吐出具。
【請求項４】
前記回動連結部が前記ノズルと前記カバー体とを一体に連結するヒンジである、請求項１〜３の何れか１項に記載のエアゾール容器用吐出具。
【請求項５】
前記エアゾール容器が２本の前記ステムを有する、請求項１〜４の何れか１項に記載のエアゾール容器用吐出具。
【発明の詳細な説明】
【技術分野】
【０００１】
本発明は、エアゾール容器に装着して使用されるエアゾール容器用吐出具に関する。
【背景技術】
【０００２】
従来、内容物とともに加圧ガスを収容しておき、ステムを押し下げることで内容物を当該ステムから外部に吐出させるようにしたエアゾール容器が知られている。このようなエアゾール容器としては、１つの容器内に一の内容物を収容するとともに１本のステムを有するシングルタイプのもの、シングルタイプの容器を左右に並べて１組とした二連タイプのものの他、１つの容器内に２種類の内容物を別個に収容するとともにそれぞれの内容物に対応した２本のステムを備えたタイプのものがあるが、何れのタイプのものも、内容物を吐出させる操作を容易にするために、吐出具を装着して使用されるのが一般的である。
【０００３】
エアゾール用スパウトとも呼ばれるエアゾール容器用吐出具としては、ステムに着脱自在に取り付けられるノズルと、エアゾール容器のマウンティングカップに固定される固定盤と、固定盤に着脱自在に取り付けられてノズルの少なくとも一部を覆うカバー体とを有し、カバー体に設けられた操作レバーを押下げ操作することにより、ノズルとともにステムを押し下げて内容物をノズルから外部に向けて吐出させることができるようにしたものが知られている。
【０００４】
また、上記のようなエアゾール容器用吐出具として、例えば内容物として染毛剤を収容するエアゾール容器に用いられる場合において、使用後にノズルの内部を容易に洗浄することができるようにするために、ノズルに蓋体を設け、当該蓋体によりノズルの内部に設けられた凹部空間を開閉可能な構成としたものも知られている（例えば特許文献１参照）。
【先行技術文献】
【特許文献】
【０００５】
【特許文献１】特開２０１５−００９８３７号公報
【発明の概要】
【発明が解決しようとする課題】
【０００６】
しかし、上記従来のエアゾール容器用吐出具では、ノズルの上方には固定盤に取り付けられたカバー体の操作レバーが配置されており、カバー体が固定盤に取り付けられた状態では蓋体を開くことができない構成であるので、使用後にノズルの内部を洗浄するためには、カバー体を固定盤から取り外してからノズルの蓋体を開く必要があり、その作業が煩雑であるという問題点があった。
【０００７】
一方、上記問題を解決するために、ノズルを、ステムよりも前方に設けられたヒンジ等の回動連結部によってカバー体に回動自在に連結されるとともに後方に向けて延びる押下げ操作部を備えたものとし、押下げ操作部を押下げ操作することによってノズルとともにステムが押し下げられる構成とすることが考えられる。当該構成によれば、カバー体を、操作レバーを備えることなく、ノズルの上方を開放する形状のものとすることができるので、カバー体を固定盤から取り外すことなくノズルの内部を容易に洗浄することが可能となる。
【０００８】
しかし、上記のようにノズルの上方が開放された構成では、ノズルに設けた蓋体は外部に露出された状態となるので、内容物を吐出する際に、指が引っ掛かるなどして蓋体が不意に開いてしまう虞があるという問題が生じることになる。
【０００９】
本発明は、このような問題点を解決することを課題とするものであり、その目的は、カバー体を固定盤から取り外すことなくノズルの内部を容易に洗浄することが可能であるとともに蓋体が不意に開くことを防止することが可能なエアゾール容器用吐出具を提供することにある。
【課題を解決するための手段】
【００１０】
本発明のエアゾール容器用吐出具は、エアゾール容器のステムに取り付けられるノズルと、前記エアゾール容器のマウンティングカップに固定される固定盤と、前記固定盤に取り付けられて前記ノズルの少なくとも一部を覆うカバー体と、を有するエアゾール容器用吐出具であって、前記ノズルが、前記ステムに接続される接続筒部と、内容物の吐出口を前端に備えた吐出筒部と、上方に開口する凹部空間を備えて前記接続筒部と前記吐出筒部との間に設けられたベース部と、前記ベース部に対してヒンジを中心として回動することで前記凹部空間を開閉可能な蓋体と、前記ベース部から後方に延びて設けられた押下げ操作部と、前記ステムよりも前方に設けられ、前記カバー体に回動自在に連結される回動連結部と、を有し、前記ノズルに、前記押下げ操作部に支持される支持部と、閉状態の前記蓋体に上方から係合して該蓋体の開方向への回動を規制する係止部と、を備えた規制部材が装着されていることを特徴とする。
【００１１】
本発明のエアゾール容器用吐出具は、上記構成において、前記規制部材が、ストッパ部を備えるとともに、該ストッパ部が前記カバー体に係合して前記押下げ操作部の下方への移動が規制される規制位置と、前記ストッパ部の前記カバー体への係合が解除される解除位置との間で、前記押下げ操作部に沿って前記ベース部に接近・離反する方向に移動自在であるのが好ましい。
【００１２】
本発明のエアゾール容器用吐出具は、上記構成において、前記規制部材が前記解除位置にあるときには前記係止部が閉状態の前記蓋体に上方から係合し、前記規制部材が前記規制位置にあるときには前記係止部の前記蓋体への係合が解除されるのが好ましい。
【００１３】
本発明のエアゾール容器用吐出具は、上記構成において、前記回動連結部が前記ノズルと前記カバー体とを一体に連結するヒンジであるのが好ましい。
【００１４】
本発明のエアゾール容器用吐出具は、上記構成において、前記エアゾール容器が２本の前記ステムを有するのが好ましい。
【発明の効果】
【００１５】
本発明によれば、カバー体を固定盤から取り外すことなくノズルの内部を容易に洗浄することが可能であるとともに蓋体が不意に開くことを防止することが可能なエアゾール容器用吐出具を提供することができる。
【図面の簡単な説明】
【００１６】
【図１】本発明の一実施の形態であるエアゾール容器用吐出具をエアゾール容器に装着した状態で示す側面視での断面図である。
【図２】図１に示すエアゾール容器用吐出具のエアゾール容器に装着された状態における背面図である。
【図３】図１に示すエアゾール容器用吐出具をノズルとともに示す平面図である。
【図４】図３におけるＡ−Ａ線に沿う断面図である。
【図５】図１に示すエアゾール容器用吐出具の、規制部材を規制位置とした状態における側面視での断面図である。
【図６】図１に示すエアゾール容器用吐出具の、規制部材を規制位置とした状態における平面図である。
【発明を実施するための形態】
【００１７】
以下、図面を参照しつつ本発明をより具体的に例示説明する。
【００１８】
なお、本明細書、特許請求の範囲及び要約書においては、「前方」とは、ノズルの吐出口が向けられる側（図１における左側）を意味し、「後方」とは、「前方」の反対側を意味し、「側方」とは、前方側から見た場合（正面視）における左右両側を意味し、「上方」とは、エアゾール容器に対してノズルが位置する側（図１における上側）を意味し、「下方」とは、「上方」の反対側を意味するものとする。
【００１９】
図１において、符号１は、本発明の一実施の形態であるエアゾール容器用吐出具（以下、単に「吐出具」と称す場合もある）を示し、符号２は、吐出具１が取り付けられるエアゾール容器（以下、単に「容器」と称す場合もある）を示す。吐出具１は、固定盤１０、カバー体２０及びノズル３０を有している。
【００２０】
容器２は、例えば金属製や合成樹脂製となる有底筒状の容器本体２ａの口部に、金属製のマウンティングカップ２ｂを、その巻締め部２ｃにおいて巻き締めして固着したものであり、その内部には２種類の内容物が別個に収容されている。容器２は、マウンティングカップ２ｂの上面から上方に向けて突出するステム２ｄを備えている。詳細は図示しないが、本実施の形態においては、マウンティングカップ２ｂの上面は平面視にてトラック形状となっており、当該上面に左右に間隔を空けて並べて２本のステム２ｄが設けられている。これらの２本のステム２ｄは、それぞれ容器本体２ａの対応する内容物の収容空間に連通しており、容器本体２ａに向けて押し下げられると内容物を吐出する。
【００２１】
固定盤１０は樹脂製となっており、中央部に２本のステム２ｄを露出させる開口１１を有する天壁１２を備えている。開口１１は、マウンティングカップ２ｂの上面に対応する形状（平面視でトラック形状）となっており、天壁１２の内縁に一体に設けられた内側環状壁１３がマウンティングカップ２ｂの上面を含むトラック形状の突起部分に嵌合されることで、固定盤１０はマウンティングカップ２ｂに回転方向に位置決めされた状態で取り付けられている。
【００２２】
天壁１２の外縁には、天壁１２から垂下する中間環状壁１４が一体に設けられている。中間環状壁１４は下方向に延在し、その下端は巻締め部２ｃの上面に当接している。
【００２３】
固定盤１０は、中間環状壁１４の外側に、巻締め部２ｃに全周に亘って接する固定用環状壁１５を一体に備えている。固定用環状壁１５の下端部における内面には係止爪１５ａが周方向に向けて間欠状に設けられており、係止爪１５ａがマウンティングカップ２ｂの巻締め部２ｃの下端縁部分にアンダーカット係合することで、固定盤１０はマウンティングカップ２ｂに固定されている。なお、係止爪１５ａは、巻締め部２ｃの全周に亘って延びる環状の形態としてもよい。
【００２４】
固定盤１０は、固定用環状壁１５の外側に、容器本体２ａの外周面と略同径の円筒状の外側環状壁１６を一体に備えている。図２に示すように、外側環状壁１６の左右両側には、それぞれ固定盤１０にカバー体２０を固定するための弾性爪片１７が一体に設けられている。それぞれの弾性爪片１７は、下端側に使用者によって押込み操作される操作ボタン部１７ａを備えるとともに、先端側に係止爪部１７ｂを備え、操作ボタン部１７ａと係止爪部１７ｂとの間には支持リブ１７ｃを備えている。
【００２５】
カバー体２０は樹脂製となっており、図２に示すように、固定部２１と一対の側方カバー部２２とを有している。
【００２６】
固定部２１は固定盤１０に固定される部分であり、固定盤１０の上側部分の外側を覆う環状の壁として構成されている。固定部２１の両側部には、それぞれ係止用孔２１ａが設けられており、係止用孔２１ａの下端には固定部２１から外方に向けて突出する係止枠部２１ｂが一体に設けられている。カバー体２０は、固定盤１０に設けられた一対の弾性爪片１７の係止爪部１７ｂが、それぞれ固定部２１に設けられた対応する係止用孔２１ａに挿通されて係止枠部２１ｂの上面にアンダーカット係合するとともに支持リブ１７ｃによって係止枠部２１ｂの下面が支持された状態とされることで、固定盤１０に固定されている。一方、一対の弾性爪片１７の操作ボタン部１７ａを押し込んで係止爪部１７ｂの係止枠部２１ｂに対する係合を解除することで、カバー体２０を固定盤１０から取り外すことができる。このように、本実施の形態では、カバー体２０は固定盤１０に着脱可能に取り付けられている。
【００２７】
一対の側方カバー部２２は、それぞれ固定部２１の上方に左右両側に分けて一体に連ねて設けられている。より具体的には、一対の側方カバー部２２は、それぞれ固定部２１と略同径の円弧状の外周壁２２ａ、ノズル３０に対向するとともに互いに平行に配置された平らな内壁２２ｂ及びノズル３０の上方で水平方向に延在する頂壁２２ｃを有する中空の形態を有している。カバー体２０は、これら一対の側方カバー部２２により、ノズル３０の左右の両側方を覆っている。なお、ノズル３０の上方はカバー体２０によって覆われずに開放されている。
【００２８】
図１においては一方のみを示すが、樹脂製となるノズル３０は一対の接続筒部３１を有しており、これらの接続筒部３１が対応するステム２ｄに接続されることで当該ステム２ｄに取り付けられている。接続筒部３１は対応するステム２ｄに緩く嵌め合わされており、ノズル３０はステム２ｄに対して前後方向に傾動することができる。
【００２９】
接続筒部３１の上方にはベース部３２が一体に設けられている。ベース部３２は箱状となっており、その内部は上方に開口する凹部空間３２ａとなっている。ベース部３２の底壁には、それぞれの接続筒部３１に対応した一対の入口孔３２ｂが設けられ、この入口孔３２ｂを通してステム２ｄから吐出された内容物が凹部空間３２ａの内部に流入することができる。なお、凹部空間３２ａの幅方向の中央部には隔壁３２ｃが設けられ、それぞれのステム２ｄから流入した２種類の内容物は凹部空間３２ａにおいては混合され難くされている。
【００３０】
ベース部３２の前方側には吐出筒部３３が一体に設けられている。吐出筒部３３は断面が横長のトラック形状となる筒状に形成されており、その内側空間は凹部空間３２ａに連通されている。吐出筒部３３の前端は吐出口３３ａとなっており、それぞれのステム２ｄから凹部空間３２ａに流入した２種類の内容物は、吐出筒部３３の内部で混合されつつ吐出口３３ａから外部に吐出される。
【００３１】
ノズル３０にはステム２ｄよりも前方に位置して回動連結部としてのヒンジ３４が一体に設けられている。本実施の形態では、ノズル３０の吐出筒部３３の下面には、当該下面から下方に延びる縦壁部３３ｂが設けられ、縦壁部３３ｂの下端には前方に向けて延びる前壁部３３ｃが設けられており、ヒンジ３４は前壁部３３ｃの前端に一体に設けられて当該前壁部３３ｃと固定部２１の上端とを一体に連結している。すなわち、ノズル３０はヒンジ３４を介してカバー体２０と一体となっている。
【００３２】
ヒンジ３４は、前壁部３３ｃよりも薄肉に形成されて折れ曲がるように容易に変形することができる。これにより、ノズル３０は、ベース部３２がステム２ｄとともに上下方向に変位するようにヒンジ３４を中心として回動することができる。また、ヒンジ３４は、ステム２ｄよりも前方であって当該ステム２ｄと同等の高さに配置されているので、ノズル３０は、そのベース部３２がステム２ｄとともに上下方向に変位するように効率良く回動することができる。
【００３３】
ノズル３０は、凹部空間３２ａを開閉可能な蓋体３５を一体に有している。蓋体３５はベース部３２よりも前方側に配置されたヒンジ３５ａを介して吐出筒部３３に一体に連結支持されており、ヒンジ３５ａを折れ曲がるように変形させてベース部３２に対してヒンジ３５ａを中心として回動することで、凹部空間３２ａを開閉することができる。蓋体３５の下面には環状のシール筒３５ｂが一体に設けられており、シール筒３５ｂがベース部３２の開口の内周縁に嵌合することで蓋体３５は凹部空間３２ａを密閉している。蓋体３５は閉状態からヒンジ３５ａを中心として上方に向けて回動することで開くことができる。蓋体３５を開くことで、ベース部３２の凹部空間３２ａを外部に開放させることができる。蓋体３５を開いて凹部空間３２ａを外部に開放させることで、使用後に、ノズル３０の内部すなわち凹部空間３２ａ、吐出筒部３３の内部及び入口孔３２ｂを容易に洗浄することができる。
【００３４】
ノズル３０にはベース部３２から後方に向けて延びる押下げ操作部３６が一体に設けられている。押下げ操作部３６は、操作者が指を掛けて押下げ操作部３６を押下げ操作することができる程度の大きさないし長さの板状に形成された操作片３６ａと、操作片３６ａの左右の両縁部から上方に延びて一体に設けられた側方補強壁３６ｂとを有している。また、操作片３６ａの前端には、上方に向けて曲げられてベース部３２に対向する係止壁３６ｃが一体に設けられている。
【００３５】
押下げ操作部３６はステム２ｄよりも後方に延びており、また、ヒンジ３４はステム２ｄよりも前方に設けられているので、押下げ操作部３６の操作片３６ａを下方に向けて押下げ操作することにより、ノズル３０のベース部３２を下方に移動させて一対のステム２ｄを押し下げることができる。このとき、接続筒部３１は対応するステム２ｄに緩く嵌め合わされているので、ノズル３０をステム２ｄに対して前後方向に傾動させつつ容易に押し下げることができる。
【００３６】
一対のステム２ｄが容器２の内部に向けて押し下げられると、それぞれのステム２ｄから内容物が吐出される。それぞれのステム２ｄから吐出された２種類の内容物は、ノズル３０の凹部空間３２ａを介して吐出筒部３３に流入し、吐出筒部３３において互いに混合されつつ吐出口３３ａから外部に吐出される。
【００３７】
蓋体３５のヒンジ３５ａとは反対側の後端部には、蓋体３５の開閉操作を容易に行い得るようにするための摘み片３５ｃが一体に設けられている。また、蓋体３５は、押下げ操作部３６に設けられた係止壁３６ｃの前面に対向する被係止壁３５ｄを備えており、被係止壁３５ｄが係止壁３６ｃにアンダーカット係合により係止されることで閉位置に保持されている。
【００３８】
上記構成を有する本実施の形態の吐出具１では、ノズル３０をステム２ｄよりも前方に設けたヒンジ３４を介してカバー体２０に一体に連結するとともに、ベース部３２から後方に向けて延びる押下げ操作部３６を備えた構成としたので、押下げ操作部３６を押下げ操作することで、ヒンジ３４を中心としてノズル３０を回動させ、これによりベース部３２とともにステム２ｄを押し下げて内容物を吐出させることができる。したがって、カバー体２０として、操作レバーを備えずに、ノズル３０の上方を開放した構成のものを採用することができるので、カバー体２０を固定盤１０から取り外すことなく、ノズル３０の蓋体３５を開くことができる。よって、内容物を吐出させた使用後に、カバー体２０を固定盤１０から取り外すことなく蓋体３５を開いてベース部３２の凹部空間３２ａを外部に開放し、ノズル３０の内部すなわち凹部空間３２ａ、吐出筒部３３の内部及び入口孔３２ｂを容易に洗浄することができる。
【００３９】
特に、２本のステム２ｄを有する容器２では、それぞれのステム２ｄから吐出される２種類の内容物として、混合されると硬化し易くなる性質のものが用いられる場合が多いが、本実施の形態の吐出具１では、このような２本のステム２ｄを有する容器２に用いられても、上記の通り、カバー体２０を固定盤１０から取り外すことなく蓋体３５を開いてノズル３０の内部を容易に洗浄することができるので、ノズル３０の内部が硬化した内容物で詰まることを未然に防止することができる。
【００４０】
本実施の形態の吐出具１では、カバー体２０として、ノズル３０の上方を開放した構成のものを採用することができることから、カバー体２０を固定盤１０から取り外すことなく、ヒンジ３４を中心としてノズル３０を図１において反時計周り方向に回動させるだけの簡単な操作で、ノズル３０をステム２ｄから容易に取り外すことができる。ノズル３０をステム２ｄから取り外してから蓋体３５を開いてノズル３０の内部を洗浄することにより、当該洗浄をさらに容易に行うことができる。なお、回動後のノズル３０はカバー体２０の前方側であってステム２ｄに対して斜め上方に位置するので、ノズル３０がヒンジ３４を介してカバー体２０に一体に連なる構成であっても、ノズル３０の内部を容易に洗浄することができる。洗浄後は、カバー体２０を固定盤１０から取り外すことなく、ヒンジ３４を中心としてノズル３０を図１において時計周り方向に回動させて接続筒部３１をステム２ｄに接続することで、内容物の吐出操作が可能な状態に容易に戻すことができる。
【００４１】
上記構成を有するカバー体２０とノズル３０は、例えば樹脂材料の射出成形により、カバー体２０とノズル３０とが一体に成形された一体成型品として構成することができる。これにより、カバー体２０とノズル３０とを容易に形成することができるようにし、また、吐出具１の部品点数を減少させて、吐出具１のコストを低減することができる。
【００４２】
蓋体３５を有するノズル３０の上方がカバー体２０によって覆われずに開放された構成の吐出具１において、内容物の吐出時に蓋体３５が不意に開いてしまうことを防止するために、ノズル３０には規制部材４０が装着されている。
【００４３】
規制部材４０は、押下げ操作部３６に支持される支持部４１を有している。支持部４１は後端部分の厚みが他の部分により若干厚い板状となっており、一対の側方補強壁３６ｂの間において押下げ操作部３６の操作片３６ａの上に重ねて配置されている。支持部４１が重ねて配置されているので、押下げ操作部３６の押下げ操作は、支持部４１とともに操作片３６ａを押し下げることによって行われる。
【００４４】
図２、図３に示すように、支持部４１の前端の左右両側には、それぞれ係止部４２が一体に設けられている。一対の係止部４２は、互いに間隔を空けて支持部４１の前端から上方に向けて延び、図１に示すように、その上端には前方に向けて突出する爪部４２ａが一体に設けられている。
【００４５】
蓋体３５の後端部には摘み片３５ｃの左右両側に並べて一対の被係止片３５ｅが一体に設けられている。一対の被係止片３５ｅの蓋体３５から後方に向けた突出長さは、摘み片３５ｃの蓋体３５から後方に向けた突出長さよりも小さくなっており、摘み片３５ｃは一対の爪部４２ａの間に配置されている。それぞれ爪部４２ａは、閉状態の蓋体３５の被係止片３５ｅの上面に上方から係合している。これにより、蓋体３５は、規制部材４０により開方向への回動が規制されて閉状態に保持されている。また、一対の係止部４２には、それぞれ爪部４２ａに対して下方に間隔を空けて挟持突起４２ｂが一体に設けられており、爪部４２ａは挟持突起４２ｂの間に被係止片３５ｅを挟み込んだ状態で安定的に被係止片３５ｅの上面に係合して、蓋体３５の開方向への回動を確実に規制することができるようになっている。
【００４６】
このように、本実施の形態の吐出具１では、ノズル３０に規制部材４０を装着し、この規制部材４０に設けた係止部４２の爪部４２ａを蓋体３５の被係止片３５ｅの上面に上方から係合させて蓋体３５を閉状態に保持するようにしたので、ノズル３０の上方がカバー体２０によって覆われずに開放された構成の吐出具１においても、押下げ操作部３６を指で押下げ操作して内容物を吐出させる際に、指が摘み片３５ｃに引っ掛かるなどして蓋体３５が不意に開いてしまうことを防止することができる。
【００４７】
本実施の形態では、支持部４１にはストッパ部４３が一体に設けられている。ストッパ部４３は支持部４１の後端から下方に向けて延びる板状に形成されており、その下端面４３ａの位置はカバー体２０の固定部２１の上端面よりも僅かに上方に位置している。また、ストッパ部４３の前面には支持部４１と平行に前方に向けて延びる下方側支持部４３ｂが一体に設けられ、支持部４１と下方側支持部４３ｂとの間に操作片３６ａの後端部が挟み込まれている。
【００４８】
規制部材４０は、支持部４１が操作片３６ａに対して摺動することで、操作片３６ａに沿ってベース部３２に接近・離反する方向（前後方向）に移動自在となっている。図１、図３、図４に示すように、支持部４１の両側面には、それぞれ当該側面に沿って前後方向に延びる突起４１ａが一体に設けられている。一方、一対の側方補強壁３６ｂの内面には、それぞれ前後方向に沿って延びる溝部３６ｄが設けられており、一対の突起４１ａはそれぞれ対応する溝部３６ｄに配置されている。一対の溝部３６ｄは、それぞれ突起４１ａよりも前後方向の長さ寸法が長くなっており、規制部材４０は、一対の突起４１ａが一対の溝部３６ｄの内部で移動可能な範囲で前後方向に移動自在となっている。より具体的には、規制部材４０は、図５、図６に示すように、一対の突起４１ａが一対の溝部３６ｄの内部の後端に位置する後方側のストローク端位置である規制位置と、図１に示すように、一対の突起４１ａが一対の溝部３６ｄの内部の前端に位置する前方側のストローク端位置である解除位置との間で前後方向に移動自在となっている。
【００４９】
図５に示すように、規制部材４０が規制位置となると、ストッパ部４３の下端面がカバー体２０の固定部２１の上端面に係合し、押下げ操作部３６の下方への移動が規制される。また、規制部材４０が規制位置にあるときには、係止部４２の爪部４２ａの蓋体３５の被係止片３５ｅへの係合が解除され、蓋体３５は開閉可能な状態とされる。このとき、支持部４１と下方側支持部４３ｂとの間で操作片３６ａの後端部分が挟持された状態となるので、押下げ操作部３６の操作片３６ａに押下げ力が加えられても、当該押下げ力をストッパ部４３により確実に支持することができる。
【００５０】
一方、図１に示すように、規制部材４０が解除位置となると、ストッパ部４３のカバー体２０への係合が解除され、押下げ操作部３６は下方への移動すなわち押下げ操作が可能な状態となる。また、規制部材４０が解除位置にあるときには、係止部４２の爪部４２ａが閉状態の蓋体３５の被係止片３５ｅに上方から係合して蓋体３５は閉状態に保持される。
【００５１】
したがって、内容物を吐出させる際には、図１に示すように、規制部材４０を解除位置とすることで、蓋体３５を規制部材４０によって閉状態に保持しつつ押下げ操作部３６の押下げ操作を可能とし、当該押下げ操作部３６の押下げ操作によって内容物をノズル３０の吐出口３３ａから吐出させることができる。
【００５２】
容器を保管する際などの不使用時においては、図５、図６に示すように、規制部材４０を押下げ操作部３６に沿って後方に移動させて規制位置とすることで、ストッパ部４３により押下げ操作部３６を押下げ操作ができない状態に保持して、内容物が誤って吐出されることを防止することができる。また、規制部材４０が規制位置にあるときには蓋体３５を開くことができるので、内容物が誤って吐出されない状態において蓋体３５を開いてノズル３０の内部を容易に洗浄することができる。このとき、摘み片３５ｃは一対の係止部４２の間において被係止片３５ｅよりも後方側に突出しているので、一対の係止部４２が邪魔になることがなく、一対の係止部４２の間において摘み片３５ｃを押し上げて蓋体３５を容易に開くことができる。
【００５３】
本発明は前記実施の形態に限定されるものではなく、その要旨を逸脱しない範囲で種々変更可能であることはいうまでもない。
【００５４】
例えば前記実施の形態では、本願発明を、２本のステム２ｄを有する容器２に装着される吐出具１に適用した場合を示したが、例えばシングルタイプの容器や二連式タイプの容器に装着される吐出具に本願発明を適用してもよい。
【００５５】
前記実施の形態では、回動連結部をノズル３０とカバー体２０とを一体に連結するヒンジ３４とした場合を示したが、これに限らず、ステム２ｄよりも前方に設けられてノズル３０をカバー体２０に対して回動自在に連結することができれば、例えばカバー体２０の一対の側方カバー部２２に設けられた支持孔に回動自在に嵌め込まれる回動軸とするなど、その構成は種々変更可能である。
【符号の説明】
【００５６】
１    エアゾール容器用吐出具
２    エアゾール容器
２ａ  容器本体
２ｂ  マウンティングカップ
２ｃ  巻締め部
２ｄ  ステム
１０    固定盤
１１    開口
１２    天壁
１３    内側環状壁
１４    中間環状壁
１５    固定用環状壁
１５ａ  係止爪
１６    外側環状壁
１７    弾性爪片
１７ａ  操作ボタン部
１７ｂ  係止爪部
１７ｃ  支持リブ
２０    カバー体
２１    固定部
２１ａ  係止用孔
２１ｂ  係止枠部
２２    側方カバー部
２２ａ  外周壁
２２ｂ  内壁
２２ｃ  頂壁
３０    ノズル
３１    接続筒部
３２    ベース部
３２ａ  凹部空間
３２ｂ  入口孔
３２ｃ  隔壁
３３    吐出筒部
３３ａ  吐出口
３３ｂ  縦壁部
３３ｃ  前壁部
３４    ヒンジ（回動連結部）
３５    蓋体
３５ａ  ヒンジ
３５ｂ  シール筒
３５ｃ  摘み片
３５ｄ  被係止壁
３５ｅ  被係止片
３６    押下げ操作部
３６ａ  操作片
３６ｂ  側方補強壁
３６ｃ  係止壁
３６ｄ  溝部
４０    規制部材
４１    支持部
４１ａ  突起
４２    係止部
４２ａ  爪部
４２ｂ  挟持突起
４３    ストッパ部
４３ａ  下端面
４３ｂ  下方側支持部
【図１】
2020001799.tif 000003
【図２】
2020001799.tif 000004
【図３】
2020001799.tif 000005
【図４】
2020001799.tif 000006
【図５】
2020001799.tif 000007
【図６】
2020001799.tif 000008